(57)【要約】【課題】無線認識技術を利用し、リアルタイムで所望のコンテンツファイルを容易に再生できるコンテンツ再生システムおよびコンテンツ再生方法を提供する。【解決手段】少なくとも１つのコンテンツファイルを保存するタグ１２０と、コンテンツファイルを再生できる再生器１１０と、非接触方式でタグ１２０に保存されているコンテンツファイルを読み込み、読み込まれたコンテンツファイルを再生器１１０に送信するリーダ１００とを備えるコンテンツ再生システム。【選択図】図１
2006127528.tif 000002
【特許請求の範囲】
【請求項１】
コンテンツ再生システムにおいて、
少なくとも１つのコンテンツファイルを保存するタグと、
前記コンテンツファイルを再生できる再生器と、
非接触方式で前記タグに保存されている前記コンテンツファイルを読み込み、前記読み込まれたコンテンツファイルを前記再生器に送信するリーダと、
を備えるコンテンツ再生システム。
【請求項２】
前記タグは、保存された前記コンテンツファイルについての管理情報をさらに保存し、
前記再生器は、再生可能な前記コンテンツファイルのリスト情報に基づいて選択されたコンテンツファイルについての選択情報を前記リーダに送信し、
前記リーダは、前記タグから読み込まれた前記コンテンツファイルについての管理情報に基づいた前記再生可能な前記コンテンツファイルのリスト情報を前記再生器に送信し、
前記再生器から前記選択されたコンテンツファイルについての選択情報が受信されたとき、前記タグから前記選択されたコンテンツファイルを読み込み、前記再生器に送信することを特徴とする請求項１に記載のコンテンツ再生システム。
【請求項３】
前記タグは、前記コンテンツファイルについての管理情報を前記コンテンツファイルのヘッダ領域に保存する請求項１または請求項２に記載のコンテンツ再生システム。
【請求項４】
前記タグは、
非接触方式で前記リーダと通信するためのアンテナと、
前記アンテナを介して第１ＲＦ信号が受信されたときに、前記タグの電源を供給する電源供給部と、
前記電源供給部から電源が供給されたときに、前記アンテナを介して受信された第２ＲＦ信号を第１デジタル信号に復調する復調器と、
前記コンテンツファイルを保存し、前記電源供給部から電源が供給されたときに、前記復調器から受信される前記第１デジタル信号によって前記コンテンツファイルを読み込む制御ロジックと、
前記電源供給部から電源が供給されたときに、前記制御ロジックから送信される第２デジタル信号を第３ＲＦ信号に変調し、前記第３ＲＦ信号を前記アンテナに送信する変調器と、
を備える請求項１から請求項３のいずれか１項に記載のコンテンツ再生システム。
【請求項５】
前記制御ロジックは、
前記コンテンツファイルを保存するメモリと、
前記復調器から送信される前記第１デジタル信号を解釈し、制御コマンドを送信するコマンドインタープリタと、
前記メモリにアクセスするメモリアクセス部と、
前記コマンドインタープリタから受信した制御コマンドに基づいて、前記メモリアクセスを制御する制御コマンドを生成し、前記生成された制御コマンドを前記メモリアクセス部に送信し、前記メモリアクセス部から送信される前記メモリから読み込まれたコンテンツファイルのデータをパケット化し、前記変調器に送信するストリーム制御部と、
を備える請求項４に記載のコンテンツ再生システム。
【請求項６】
前記タグは、
前記リーダと前記非接触方式で通信するためのアンテナと、
前記アンテナを介して第１ＲＦ信号が受信されたときに、前記タグの電源を供給する電源供給部と、
前記電源供給部から電源が供給されたときに、前記アンテナを介して受信された第２ＲＦ信号を第１デジタル信号に復調する前記復調器と、
前記コンテンツファイルを保存するメモリと、
前記復調器から受信される第１デジタル信号によってメモリアクセスを制御し、前記メモリからアクセスされた前記コンテンツファイルのデータを第２デジタル信号として送信する制御ロジックと、
前記制御ロジックから送信される第２デジタル信号を第３ＲＦ信号に変調し、前記第３ＲＦ信号を前記アンテナに送信する変調器と、
を備える請求項１から請求項３のいずれか１項に記載のコンテンツ再生システム。
【請求項７】
前記制御ロジックは、
前記復調器から送信される前記第１デジタル信号を解釈するコマンドインタープリタと、
前記メモリにアクセスするメモリアクセス部と、
前記コマンドインタープリタから受信された制御コマンドに基づき、前記メモリアクセスを制御する制御コマンドを生成し、前記生成された制御コマンドを前記メモリアクセス部に送信し、前記メモリアクセス部から送信される前記メモリから読み込まれたコンテンツファイルのデータをパケット化し、前記変調器に送信するストリーム制御部と、
を備える請求項６に記載のコンテンツ再生システム。
【請求項８】
前記電源供給部は、パッシブ方式で駆動することを特徴とする請求項４または請求項６に記載のコンテンツ再生システム。
【請求項９】
前記電源供給部は、セミアクティブ方式で駆動することを特徴とする請求項４または請求項６に記載のコンテンツ再生システム。
【請求項１０】
前記電源供給部は、アクティブ方式で駆動することを特徴とする請求項４または請求項６に記載のコンテンツ再生システム。
【請求項１１】
前記コンテンツファイルは、メディアファイルとデータファイルのうちいずれか一つであることを特徴とする請求項１から請求項１０のいずれか１項に記載のコンテンツ再生システム。
【請求項１２】
前記メディアファイルは、オーディオファイル、静止映像ファイル、動映像ファイル、オーディオと映像とを備える複合ファイル、およびプログラム予告ファイルのうちいずれか一つであることを特徴とする請求項１１に記載のコンテンツ再生システム。
【請求項１３】
前記データファイルは、文書ファイルおよびプログラムソースコードファイルを含むことを特徴とする請求項１１に記載のコンテンツ再生システム。
【請求項１４】
前記タグは、ポスター、チケット、カードのうち、いずれか一つに設けられていることを特徴とする請求項１１に記載のコンテンツ再生システム。
【請求項１５】
前記リーダは、携帯用機器であることを特徴とする請求項１から請求項１４のいずれか１項に記載のコンテンツ再生システム。
【請求項１６】
前記リーダは、
前記非接触方式で前記タグと通信するためのアンテナと、
前記アンテナを介して前記タグと前記リーダとの間でデータを送受信するための第１インターフェースと、
前記再生器と前記リーダとの間でデータを送受信するための第２インターフェースと、
前記第１インターフェースから送信されるコンテンツファイルのデータを保存するバッファと、
前記第１インターフェース、前記第２インターフェース、および前記バッファの動作を制御する制御部と、
を備える請求項１から請求項１５のいずれか１項に記載のコンテンツ再生システム。
【請求項１７】
前記第１インターフェースから前記コンテンツファイルについての管理情報が受信され、かつ前記コンテンツファイルが再生可能である場合に、
前記制御部は、前記コンテンツファイルについての管理情報を基に、前記コンテンツファイルについてのコンテンツファイルのリスト情報を生成し、前記コンテンツファイルのリスト情報を前記第２インターフェースに送信し、
前記コンテンツファイルについてのリスト情報が受信され、前記第２インターフェースからの前記コンテンツファイルのリスト情報を基に、前記コンテンツファイルが選択されたときに、前記制御部は、前記コンテンツファイル要求信号を前記第１インターフェースに送信し、
前記第１インターフェースから前記コンテンツファイルのデータが受信されたときに、前記制御部は、前記バッファに前記コンテンツファイルのデータを保存し、前記バッファに保存されたコンテンツファイルのデータを前記第２インターフェースに送信する特徴を有する請求項１６に記載のコンテンツ再生システム。
【請求項１８】
前記再生器の電源がオンになると、前記リーダの電源がオンになる請求項１から請求項１７のいずれか１項に記載のコンテンツ再生システム。
【請求項１９】
前記リーダは、前記再生器内に備えられることを特徴とする請求項１から請求項１８のいずれか１項に記載のコンテンツ再生システム。
【請求項２０】
少なくとも１つのコンテンツファイルをそれぞれ保存する複数個のタグを備えるタグ群と、
前記複数個のタグに保存されている前記コンテンツファイルのうち選択されたコンテンツファイルを読み込み、前記選択されたコンテンツファイルを再生器に送信するリーダと、
前記選択されたコンテンツファイルを再生できる前記再生器と、
を備えるコンテンツ再生システム。
【請求項２１】
前記リーダは、所定の基準により、前記複数個のタグから読み込まれた前記コンテンツファイルについての管理情報を整列し、コンテンツファイルのリスト情報を生成し、前記生成されたコンテンツファイルのリスト情報を前記再生器に送信する請求項２０に記載のコンテンツ再生システム。
【請求項２２】
前記リーダは、前記再生器で選択された前記コンテンツファイルのリスト情報を基に選択された前記コンテンツファイルについての選択情報が受信されたときに、前記選択されたコンテンツファイルを保存した前記複数個のタグから選択されたコンテンツファイルを読み込む請求項２０または請求項２１に記載のコンテンツ再生システム。
【請求項２３】
コンテンツファイルを保存したタグ、前記タグと非接触方式で通信が可能なリーダ、および前記リーダと通信が可能な再生器を備えるコンテンツ再生システムで利用されるコンテンツ再生方法において、
前記非接触方式で前記リーダにより前記タグから前記コンテンツファイルを読み込むステップと、
前記コンテンツファイルを前記再生器に送信するステップと、
を含むコンテンツ再生方法。
【請求項２４】
前記コンテンツファイルを前記再生器に送信するステップの後に、
前記再生器で前記コンテンツファイルを再生するステップをさらに含む請求項２３に記載のコンテンツ再生方法。
【請求項２５】
前記非接触方式で前記リーダにより前記タグから前記コンテンツファイルを読み込むステップの前に、
前記タグから前記コンテンツファイルについての管理情報が受信され、前記コンテンツファイルが再生可能な場合に、前記リーダで前記コンテンツファイルについてのコンテンツファイルのリスト情報を生成するステップと、
前記コンテンツファイルのリスト情報を前記再生器に送信するステップと、
前記再生器から前記コンテンツファイルのリスト情報を基に、前記コンテンツファイルが再生のために選択された前記コンテンツファイルということを表すコンテンツファイルの選択情報が受信されるステップと、
をさらに含む請求項２３または請求項２４に記載のコンテンツ再生方法。
【請求項２６】
前記非接触方式で前記リーダにより前記タグから前記コンテンツファイルを読み込むステップの前に、
前記リーダでそれぞれ少なくとも１つの前記コンテンツファイルを保存する複数のタグから前記コンテンツファイルについての管理情報が受信されたときに、
前記コンテンツファイルについての管理情報を基に、前記リーダで再生可能な前記コンテンツファイルについての前記コンテンツファイルのリスト情報を生成するステップと、
前記コンテンツファイルのリスト情報を基に、前記再生可能なコンテンツファイルのうち前記選択されたコンテンツファイルを選択するステップと、
を含む請求項２３から請求項２５のいずれか１項に記載のコンテンツ再生方法。
【請求項２７】
前記リーダから送信された第１ＲＦ信号に反応する第２ＲＦ信号が受信されたときに、前記コンテンツ再生方法が実行されることを特徴とする請求項２３から請求項２６のいずれか１項に記載のコンテンツ再生方法。
【請求項２８】
前記コンテンツファイルは、オーディオファイル、静止映像ファイル、動映像ファイル、オーディオと映像とを含む複合ファイル、プログラム予告ファイルのうちいずれか一つであることを特徴とする請求項２３から請求項２７のいずれか１項に記載のコンテンツ再生方法。
【請求項２９】
コンテンツファイルを保存したタグ、前記タグと非接触方式で通信するリーダを備える再生器を備えるコンテンツ再生システムで利用されるコンテンツ再生方法において、
前記リーダを利用し、前記非接触方式で前記タグからコンテンツファイルを読み込むステップと、
前記コンテンツファイルを再生するステップと、
を含むコンテンツ再生方法。
【請求項３０】
前記リーダを利用し、前記非接触方式で前記タグからコンテンツファイルを読み込むステップの前に、
前記コンテンツファイルが再生可能である場合に、前記コンテンツファイルについてのリスト情報を生成するステップと、
前記コンテンツファイルのリスト情報を基に再生するための前記コンテンツファイルを選択するステップと、
前記再生可能なコンテンツファイルが選択されるステップと、
をさらに含む請求項２９に記載のコンテンツ再生方法。
【請求項３１】
前記リーダを利用し、前記非接触方式で前記タグからコンテンツファイルを読み込むステップの前に、
前記システムは、それぞれ少なくとも１つのコンテンツファイルを保存する複数の前記タグを含み、再生できる各コンテンツファイルについてのコンテンツファイルのリスト情報を生成するステップと、
前記コンテンツファイルのリスト情報を基に再生するためのコンテンツファイルを選択するステップと、
をさらに含む請求項２９または請求項３０に記載のコンテンツ再生方法。
【請求項３２】
コンテンツファイルを保存するタグ、非接触方式で前記タグと通信するリーダを有する再生部を備えるシステムで使われるコンテンツ再生方法において、
コンテンツファイルについての管理情報を要求する第１信号が受信されたときに、前記コンテンツファイルのヘッダ領域に保存された前記コンテンツファイルについての管理情報を前記リーダに送信するステップと、
前記タグに保存されたコンテンツファイルを要求する第２信号が受信されたときに、前記コンテンツファイルのデータを読み込み、前記データを前記リーダに送信するステップと、
を含むコンテンツ再生方法。
【請求項３３】
前記少なくとも１つのコンテンツファイルは、メディアファイルとデータファイルのうちいずれか一つであることを特徴とする請求項３２に記載のコンテンツ再生方法。
【請求項３４】
前記メディアファイルは、オーディオファイル、静止映像ファイル、動映像ファイル、オーディオと映像とを備える複合ファイル、およびプログラム予告ファイルのうちいずれか一つであることを特徴とする請求項３３に記載のコンテンツ再生方法。
【請求項３５】
前記データファイルは、文書ファイルおよびプログラムソースコードファイルを含むことを特徴とする請求項３３に記載のコンテンツ再生方法。
【発明の詳細な説明】
【技術分野】
【０００１】
本発明は、コンテンツ再生システムおよびコンテンツ再生方法に係り、特に無線認識（ＲＦＩＤ：Ｒａｄｉｏ  Ｆｒｅｑｕｅｎｃｙ  ＩＤｅｎｔｉｆｉｃａｔｉｏｎ；以下、ＲＦＩＤという）技術を利用したコンテンツ再生システムおよびコンテンツ再生方法に関する。
【背景技術】
【０００２】
一般的なコンテンツ再生システムの例としては、ＣＤ（Ｃｏｍｐａｃｔ  Ｄｉｓｃ）プレーヤ、ＤＶＤ（Ｄｉｇｉｔａｌ  Ｖｅｒｓａｔｉｌｅ  Ｄｉｓｃ）プレーヤ、ＭＰ３プレーヤ、コンピュータシステムおよび携帯電話がある。このようなコンテンツ再生システムは、ＣＤ、ＤＶＤ、ＨＤＤ（Ｈａｒｄ  Ｄｉｓｋ  Ｄｒｉｖｅ）、メモリのようなメディアに保存されたコンテンツを再生する。このようなコンテンツ再生システムを、メディアプレーヤという。ここで、コンテンツとして、例えば音楽ファイル、または映像ファイル、または音楽と映像とが結合された複合ファイル、または文書ファイルを含むことができる。
【０００３】
しかし、このようなコンテンツ再生システムは、ユーザがコンテンツを保存しているメディアをコンテンツ再生システムにロードするか、またはケーブルで接続された他の装置からコンテンツ再生システムに内蔵されたメディアにコンテンツをダウンロードすることによって、コンテンツ再生が可能となる。もし、再生しようとするコンテンツがコンテンツ再生システムにロードまたは内蔵されたメディアに保存されていなければ、ユーザは、コンテンツ再生システムに設けられているメディアを交替するか、またはコンテンツを有している装置とコンテンツ再生システムとの間にケーブルを連結し、メディアにコンテンツをダウンロードしなければならない。
【０００４】
例えば、ＤＶＤプレーヤにロードされているＤＶＤに再生を所望する映画ファイルが記録されておらず、他のＤＶＤに再生を所望する映画ファイルが記録されていれば、ユーザは、ＤＶＤプレーヤにロードされているＤＶＤを他のＤＶＤに交替しなければならない。また、ユーザがＭＰ３プレーヤに内蔵されているフラッシュメモリに記録された音楽ファイル以外の音楽ファイルを再生しようとするとき、ユーザは、ケーブルを利用してＭＰ３プレーヤをコンピュータシステムに連結し、再生を所望する音楽ファイルをコンピュータシステムから前記フラッシュメモリにダウンロードしなければならない。
本願発明に関連した従来技術は、特許文献１に開示されている。
【特許文献１】国際公開第０１／６３９０８号パンフレット
【発明の開示】
【発明が解決しようとする課題】
【０００５】
本発明が解決しようとする技術的課題は、前記ＲＦＩＤ技術を利用し、所望するコンテンツをリアルタイムで容易に再生できるコンテンツ再生システムおよびコンテンツ再生方法を提供するところにある。
【課題を解決するための手段】
【０００６】
前記技術的課題を解決するために、本発明は、少なくとも１つのコンテンツファイルを保存するタグと、前記コンテンツファイルを再生できる再生器と、非接触方式で前記タグに保存されている前記少なくとも１つのコンテンツファイルを読み込み、前記読み込まれたコンテンツファイルを前記再生器に送信するリーダとを備えるコンテンツ再生システムを提供する。
【０００７】
前記タグは、保存された前記コンテンツファイルについての管理情報をさらに保存し、前記再生器は、再生可能な前記コンテンツファイルのリスト情報に基づいて選択されたコンテンツファイルについての選択情報を前記リーダに送信し、前記リーダは、前記タグから読み込まれた前記コンテンツファイルについての管理情報に基づいた前記再生可能なコンテンツファイルのリストを前記再生器に送信し、前記再生器から前記選択されたコンテンツファイルについての選択情報が受信されたときに、前記タグから前記選択されたコンテンツファイルを読み込み、前記再生器に送信することが望ましい。
【０００８】
前記タグは、非接触方式で前記リーダと通信するためのアンテナと、前記アンテナを介して第１ＲＦ信号が受信されたときに、前記タグの電源を供給する電源供給部と、前記電源供給部から電源が供給されたときに、前記アンテナを介して受信された第２ＲＦ信号を第１デジタル信号に復調する復調器と、前記コンテンツファイルを保存し、前記電源供給部から電源が供給されたときに、前記復調器から受信される前記第１デジタル信号によって前記コンテンツファイルを読み込む制御ロジックと、前記電源供給部から電源が供給されたときに、前記制御ロジックから送信される第２デジタル信号を、第３ＲＦ信号に変調し、前記第３ＲＦ信号を前記アンテナに送信する変調器とを備えることが望ましい。
【０００９】
前記制御ロジックは、前記少なくとも１つのコンテンツファイルを保存するメモリと、前記復調器から送信されるデジタル信号を解釈し、制御コマンドを送信するコマンドインタープリタと、前記メモリにアクセスするメモリアクセス部と、前記コマンドインタープリタから受信した制御コマンドに基づいて、前記メモリアクセスを制御する制御コマンドを生成し、前記生成された制御コマンドを前記メモリアクセス部に送信し、前記メモリアクセス部から送信される前記メモリから読み込まれたコンテンツファイルのデータをパケット化し、前記変調器に送信するストリーム制御部とを備えることが望ましい。
【００１０】
前記タグは、前記リーダと前記非接触方式で通信するためのアンテナと、前記アンテナを介して第１ＲＦ信号が受信されたときに、前記タグの電源を供給する電源供給部と、前記電源供給部から電源が供給されたときに、前記アンテナを介して受信された第２ＲＦ信号をデジタル信号に復調する復調器と、前記コンテンツファイルを保存するメモリと、前記復調器から受信されるデジタル信号によってメモリアクセスを制御し、メモリからアクセスされたコンテンツファイルのデータを第２デジタル信号に送信する制御ロジックと、前記制御ロジックから送信される第２デジタル信号を第３ＲＦ信号に変調し、前記第３ＲＦ信号を前記アンテナに送信する変調器とを備えることが望ましい。
【００１１】
前記制御ロジックは、前記復調器から送信される前記第１デジタル信号を解釈するコマンドインタープリタと、前記メモリにアクセスするメモリアクセス部と、前記コマンドインタープリタから受信された制御コマンドに基づき、前記メモリアクセスを制御する制御コマンドを生成し、前記生成された制御コマンドを前記メモリアクセス部に送信し、前記メモリアクセス部から送信される前記メモリから読み込まれたコンテンツファイルのデータをパケット化し、前記変調器に送信するストリーム制御部とを備えることが望ましい。
【００１２】
前記電源供給部は、パッシブ方式で駆動するか、またはセミアクティブ方式で駆動するか、またはアクティブ方式で駆動可能である。
【００１３】
前記コンテンツファイルは、例えばメディアファイルとデータファイルのうちいずれか一つであることが望ましく、前記メディアファイルは、オーディオファイル、静止映像ファイル、動映像ファイル、オーディオと映像とを備える複合ファイル、およびプログラム予告ファイルのうちいずれか一つであることが望ましく、前記データファイルは、例えば、文書ファイルおよびプログラムソースコードファイルを含むことが望ましい。
【００１４】
前記リーダは、携帯用機器であり、前記非接触方式で前記タグと通信するためのアンテナと、前記アンテナを介して前記タグと前記リーダとの間でデータを送受信するための第１インターフェースと、前記再生器と前記リーダとの間でデータを送受信するための第２インターフェースと、前記第１インターフェースから送信されるコンテンツファイルのデータを保存するバッファと、前記第１インターフェース、前記第２インターフェース、および前記バッファの動作を制御する制御部とを備えることが望ましい。
【００１５】
前記制御部は、前記第１インターフェースから再生可能なコンテンツファイルについての管理情報が受信され、かつ前記コンテンツファイルが再生可能である場合に、前記受信された管理情報に基づいて、前記コンテンツファイルについてのコンテンツファイルのリスト情報を生成し、再生可能なコンテンツファイルのコンテンツファイルリスト情報を前記第２インターフェースに送信し、前記コンテンツファイルについてのリスト情報が受信され、前記第２インターフェースからの前記コンテンツファイルのリスト情報を基に、前記コンテンツファイルが選択されたときに、前記制御部は、前記コンテンツファイル要求信号を前記第１インターフェースに送信し、
前記第１インターフェースから前記選択されたコンテンツファイルのデータが受信されたときに、前記バッファに前記コンテンツファイルのデータを保存させ、前記第２インターフェースを制御して前記バッファに保存されたコンテンツファイルのデータを前記第２インターフェースに送信する特徴を有することが望ましい。
【００１６】
前記リーダは、前記再生器内に備えることができる。
【００１７】
前記技術的課題を解決するために、本発明は、少なくとも１つのコンテンツファイルを保存するタグを複数個備えるタグ群と、前記コンテンツファイルを再生できる再生器と、非接触方式で前記複数個のタグに保存されている前記少なくとも１つのコンテンツファイルを読み込み、前記読み込まれたコンテンツファイルを前記再生器に送信するリーダとを備えるコンテンツ再生システムを提供する。
【００１８】
前記リーダは、所定の基準により、前記複数個のタグから読み込まれたコンテンツファイルについての管理情報を整列し、再生可能なコンテンツファイルのリスト情報を生成し、前記生成されたコンテンツファイルのリスト情報を前記再生器に送信することが望ましい。
【００１９】
前記技術的課題を解決するために、本発明は、少なくとも１つのコンテンツファイルを保存した少なくとも１つのタグと、前記タグと非接触方式で通信が可能なリーダと、および前記リーダと通信が可能な再生器を備えるコンテンツ再生システムにおいて、前記リーダにより前記非接触方式で前記少なくとも１つのタグからコンテンツファイルを読み込むステップと、前記再生器で前記読み込まれたコンテンツファイルが再生されるように前記読み込まれたコンテンツファイルを前記再生器に送信するステップとを含むコンテンツ再生方法を提供する。
【００２０】
前記技術的課題を解決するために本発明は、少なくとも１つのコンテンツファイルを保存した少なくとも１つのタグ、前記タグと非接触方式で通信が可能なリーダを備える再生器を備えるコンテンツ再生システムにおいて、前記再生器は、前記リーダを利用し、前記非接触方式で前記少なくとも１つのタグからコンテンツファイルを読み込むステップと、前記コンテンツファイルを前記再生器に送信するステップの後に、前記リーダを介して読み込まれたコンテンツファイルを再生するステップとを含むコンテンツ再生方法を提供する。
【００２１】
前記技術的課題を解決するために、本発明は、少なくとも１つのコンテンツファイルを保存した少なくとも１つのタグ、前記タグと非接触方式で通信が可能なリーダを備える再生器を備えるコンテンツ再生システムにおいて、前記コンテンツファイルについての管理情報が要求されたときに、前記タグは、前記コンテンツファイルのヘッダ領域に保存された前記管理情報を前記再生器のリーダに送信するステップと、前記少なくとも１つのコンテンツファイルのうち１つのコンテンツファイルが要求されたときに、前記タグは、保存された前記コンテンツファイルのうち前記要求されたコンテンツファイルのデータを読み込み、前記リーダに送信するステップとを含むコンテンツ再生方法を提供する。
【発明の効果】
【００２２】
本発明は、非接触方式で通信が可能なタグに再生可能なコンテンツファイルを保存し、再生器と連結されたリーダを利用し、タグに保存されたコンテンツファイルをリアルタイムで読み込んで再生させることにより、ユーザは、容易にコンテンツファイルを再生することができる。
【００２３】
例えば、所望するコンテンツファイルを再生するために、ユーザは、前記コンテンツファイルを提供できるサーバまたはシステムと、インターネットを介した接続を行う作業、またはそれ以外の連結作業を行う必要がなく、再生器にロードされているメディアを交替する作業を行う必要がない。
【００２４】
また、いつどこでもリーダが装着されている再生器を利用し、新しいコンテンツファイルを再生することができる。例えば、映画ポスターまたは映画チケットに付着されているタグに保存されている映画予告編を携帯用端末機を介して再生できる。
【発明を実施するための最良の形態】
【００２５】
以下、添付された図面を参照し、本発明による望ましい実施形態を詳細に説明する。
【００２６】
図１は、本発明の望ましい一実施形態によるコンテンツ再生システムのブロック図である。図１に示すように、コンテンツ再生システムは、ＲＦＩＤリーダ１００と、再生器１１０と、タグ１２０とを備える。
【００２７】
ＲＦＩＤリーダ１００は、非接触方式でタグ１２０に保存されている情報を読み込むことができる。すなわち、ＲＦＩＤリーダ１００は、周辺にタグ１２０が存在しているか否かを把握するために、ＲＦ信号をブロードキャスティングし、タグ１２０からブロードキャストされたＲＦ信号に反応するＲＦ信号が受信されたときに、ＲＦＩＤリーダ１００は、タグ１２０に保存されているコンテンツファイルを非接触方式で読み込み、読み込まれたコンテンツファイルを再生器１１０に送信する。
【００２８】
このために、ＲＦＩＤリーダ１００は、再生器インターフェース（Ｉ／Ｆ）１０１と、制御部１０２と、ＲＦインターフェース１０３と、アンテナ１０４と、バッファ１０５とを備えている。
【００２９】
再生器インターフェース１０１は、再生器１１０とＲＦＩＤリーダ１００との間でデータを送受信する。特に、再生器インターフェース１０１は、再生器１１０の電源がオンになると、制御部１０２に動作電源を印加し、制御部１０２から送信される再生可能なコンテンツファイルについてのリスト情報と、バッファ１０５から読み込んだコンテンツファイルとを再生器１１０に送信し、再生器１１０から発生するコンテンツファイルについての選択情報を制御部１０２に送信する。
【００３０】
制御部１０２は、ＲＦＩＤリーダ１００がタグ１２０を認識し、タグ１２０に保存されているコンテンツファイルについての管理情報とコンテンツファイルとを読み込み、管理情報に基づいたコンテンツファイルについてのリスト情報と読み込まれたコンテンツファイルとを再生器１１０に送信するＲＦＩＤリーダ１００の全機能を制御する。
【００３１】
すなわち、制御部１０２は、再生器インターフェース１０１から動作電源が印加されたときに、ＲＦＩＤリーダ１００の電源をオンにし、周辺のタグ１２０が存在しているか否かを把握するためのＲＦ信号がブロードキャスティングされるように、ＲＦインターフェース１０３を制御する。ＲＦインターフェース１０３からＲＦ信号に対する反応信号が受信されたときに、制御部１０２は、周辺にタグ１２０が存在すると認識することができる。
【００３２】
制御部１０２は、反応信号に含まれているタグ１２０の識別情報に基づいてタグ１２０に保存されているコンテンツファイルについての管理情報を要求するＲＦ信号をＲＦインターフェース１０３に送信する。ＲＦインターフェース１０３からコンテンツファイルについての管理情報が受信されたときに、制御部１０２は、受信されたコンテンツファイルについての管理情報に基づいて、再生可能なコンテンツファイルについてのリストを生成し、生成されたリストを再生器インターフェース１０１に送信する。
【００３３】
再生器インターフェース１０１からコンテンツファイルについての選択情報が受信されたときに、制御部１０２は、受信された選択情報に基づいて選択されたコンテンツファイルを要求するＲＦ信号をＲＦインターフェース１０３に送信する。ＲＦインターフェース１０３からコンテンツファイルが受信されたときに、制御部１０２は、受信されたコンテンツファイルをバッファ１０５に保存させ、再生器インターフェース１０１を制御し、バッファ１０５に保存されているコンテンツファイルを再生器インターフェース１０１に送信させる。
【００３４】
このとき、ＲＦインターフェース１０３から送信されるコンテンツファイルは、所定ブロック単位で送信可能である。これは、タグ１２０からコンテンツファイルを所定ブロック単位で送信するためである。所定ブロック単位は、ＲＦＩＤリーダ１００とタグ１２０との間に使われる帯域幅によって決定することができる。これは一回で送信可能なデータ量が帯域幅に比例するためである。ＲＦインターフェース１０３から送信されるコンテンツファイルが所定ブロック単位で送信されると、制御部１０２は、所定ブロック単位でコンテンツファイルを要求するＲＦ信号が送信されるように、ＲＦインターフェース１０３を制御し、所定ブロック単位のコンテンツファイルのデータをＲＦインターフェース１０３から受信する。
【００３５】
また、コンテンツファイルが所定ブロック単位で送信されたときに、制御部１０２は、受信されるブロック単位のデータにコンテンツファイルの終了を表す情報が存在しているか否かをチェックすることができる。そして、制御部１０２は、受信されるコンテンツファイルのデータに対して送信エラーをチェックすることができる。送信エラーチェックは、例えばチェックサム方式、またはパリティビット方式を利用して行うことができる。
【００３６】
ＲＦインターフェース１０３は、ＲＦＩＤリーダ１００とタグ１２０との間にデータ送受信を可能にする。すなわち、ＲＦインターフェース１０３はＲＦＩＤリーダ１００の電源がオンになり、制御部１０２からＲＦ信号送信が要求されたときに、ＲＦインターフェース１０３は、アンテナ１０４を介してＲＦ信号をブロードキャストする。また、アンテナ１０４を介して送信されたＲＦ信号に対する反応ＲＦ信号が受信されたときに、ＲＦインターフェース１０３は、受信された反応ＲＦ信号を制御部１０２に送信する。
【００３７】
ＲＦインターフェース１０３は、制御部１０２からコンテンツファイルについての管理情報要求信号が受信されたときに、ＲＦインターフェース１０３は、受信された管理情報要求信号をアンテナ１０４を介してタグ１２０に送信する。また、タグ１２０からコンテンツファイルについての管理情報が受信されたときに、ＲＦインターフェース１０３は、制御部１０２に、受信されたコンテンツファイルの管理情報を送信する。
【００３８】
ＲＦインターフェース１０３は、制御部１０２からコンテンツファイル要求信号が受信されたときに、受信されたコンテンツファイル要求信号をアンテナ１０４を介して送信する。ＲＦインターフェース１０３は、アンテナ１０４を介してコンテンツファイルのデータが受信されたときに、受信されたコンテンツファイルのデータを制御部１０２に送信する。
【００３９】
バッファ１０５は、制御部１０２により制御されて受信されるコンテンツファイルのデータを保存し、保存されているコンテンツファイルのデータを再生器インターフェース１０１に送信する。
【００４０】
再生器１１０は、メディアファイルとデータファイルのうち少なくとも一つを再生できる装置であり、ＣＤプレーヤ、ＤＶＤプレーヤ、コンピュータシステム、携帯電話、オーディオ機器、およびＭＰ３プレーヤのような装置とすることができる。メディアファイルは、例えば、オーディオファイル、静止映像または動映像ファイル、オーディオと映像とを備える複合ファイル、プログラム予告ファイルを含むことができる。データファイルは、例えば文書ファイルおよびプログラムソースコードファイルを含むことができる。文書ファイルは、スプレッドシートプログラム、ワープロプログラムのような応用プログラムで作成可能である。このように、再生器１１０は、コンピュータシステムに保存可能なファイルを再生できる。また、再生器１１０は、携帯可能な機器とすることができる。
【００４１】
再生器１１０は、ユーザにより電源がオンになると、ＲＦＩＤリーダ１００に動作電源を提供する。再生器１１０とＲＦＩＤリーダ１００は、ハードウェア的に連結することができる。再生器１１０は、ＲＦＩＤリーダ１００から再生可能なコンテンツファイルのリスト情報が受信されたときに、ユーザにリスト情報を提供する。リスト情報は、例えば、画面を介して提供されるか、またはオーディオに提供される。
【００４２】
提供されるコンテンツファイルのリスト情報に基づいて、ユーザが１つのコンテンツファイルを選択すると、再生器１１０は、選択されたコンテンツファイルについての情報をＲＦＩＤリーダ１００に送信する。例えば、ｎ個の選択可能なコンテンツファイルのリストが提供され、そのうちでユーザが二番目のコンテンツファイルを選択すると、再生器１１０は、二番目のコンテンツファイルが選択されたことを示す選択情報をＲＦＩＤリーダ１００に送信する。
【００４３】
再生器１１０は、ＲＦＩＤリーダ１００からコンテンツファイルのデータが受信されると、受信されたコンテンツファイルのデータを再生する。コンテンツファイルが映像ファイルであるか、または文書ファイルであれば、再生器１１０は、コンテンツファイルのデータをディスプレイさせる。コンテンツファイルがオーディオファイルならば、再生器１１０は、コンテンツファイルのデータをスピーカ（図示せず）を介して送信する。コンテンツファイルが複合ファイルならば、再生器１１０は、コンテンツファイルに含まれた映像をディスプレイさせつつ、コンテンツファイルに含まれたオーディオをスピーカを介して送信する。
【００４４】
タグ１２０は、ＲＦＩＤリーダ１００と非接触方式で通信する。すなわち、タグ１２０は、コンテンツファイルについての管理情報とコンテンツファイルとを保存し、ＲＦＩＤリーダ１００の要求により、コンテンツファイルについての管理情報とコンテンツファイルとをＲＦＩＤリーダ１００に送信する。タグ１２０は、少なくとも１つのコンテンツファイルを保存することができる。タグ１２０に保存されているコンテンツファイルは、メディアファイルとデータファイルのうち少なくとも一つであってもよい。メディアファイルは、例えば、オーディオファイル、静止映像ファイル、動映像ファイル、オーディオと映像とを備える複合ファイル、およびプログラム予告ファイルのうち一つでありうる。プログラム予告ファイルは、映画予告ファイルを含むことができる。複合ファイルは、例えばアルバムファイル、映像レターとすることができる。データファイルは、例えば文書ファイルおよびプログラムソースファイルを含むことができる。文書ファイルは、スプレッドシートプログラム、ワードプロセシッングプログラムのような応用プログラムで作成されたファイルを含むことができる。
【００４５】
タグ１２０は、図１に図示されているように、アンテナ１２１と、電源供給部１２２と、復調器１２３と、変調器１２４と、制御ロジック１２５とを備える。
【００４６】
ＲＦＩＤリーダ１００の電源がオンになり、アンテナ１２１，１０４を介してタグ１２０でＲＦＩＤリーダ１００からのＲＦ信号が受信されたときに、電源供給部１２２は、復調器１２３、変調器１２４および制御ロジック１２５に電源ＶＤＣを供給する。また、電源供給部１２２は、ＲＦＩＤリーダ１００からＲＦ要求信号が受信されるたびに復調器１２３、変調器１２４および制御ロジック１２５に電源ＶＤＣを供給する。
【００４７】
電源供給部１２２は、タグ１２０がパッシブ方式で駆動するときには、ＲＦ−ＤＣ（Ｄｉｒｅｃｔ  Ｃｕｒｒｅｎｔ）整流器で構成するのがよい。すなわち、アンテナ１２１を介してＲＦ信号（第１ＲＦ信号）が受信されたときに、電源供給部１２２は、ＲＦ信号をＤＣに整流し、復調器１２３、変調器１２４および制御ロジック１２５に電源ＶＤＣを供給する。
【００４８】
電源供給部１２２は、タグ１２０がセミアクティブ方式で駆動するときには、ＲＦ−ＤＣ整流器かバッテリかを選択的に運用するように構成するのがよい。すなわち、アンテナ１２１を介して最初のＲＦ信号（第１ＲＦ信号）が受信されたときに、ＲＦ−ＤＣ整流器を利用し、復調器１２３、変調器１２４および制御ロジック１２５に電源を供給するパッシブ方式でタグ１２０が動作し、その後タグ１２０がデータを送信するときには、バッテリを利用するアクティブ方式でタグ１２０が動作する。
【００４９】
また、電源供給部１２２は、タグ１２０がアクティブ方式で駆動するときには、バッテリとして構成される。従って、アンテナ１２１を介してＲＦ信号（第１ＲＦ信号）が受信されたときに、バッテリは、復調器１２３、変調器１２４および制御ロジック１２５に電源ＶＤＣを供給する。
【００５０】
復調器１２３は、電源ＶＤＣが供給されたときに、受信されるＲＦ信号（第２ＲＦ信号）をデジタル信号（第１デジタル信号）に変換して制御ロジック１２５に送信する。変調器１２４は、制御ロジック１２５から送信されるデジタル信号（第２デジタル信号）をＲＦ信号（第３ＲＦ信号）に変換してアンテナ１２１に送信する。
【００５１】
制御ロジック１２５は、復調器１２３から受信されるデジタル信号に基づき、メモリ１２６に保存されているコンテンツファイルについての管理情報とコンテンツファイルとを読み込んで変調器１２４に送信する。すなわち、制御ロジック１２５は、復調器１２３からコンテンツファイルについての管理情報要求信号が受信されたときに、メモリ１２６に保存されているコンテンツファイルのヘッダ情報をサーチし、サーチされたコンテンツファイルのヘッダ情報を変調器１２４に送信する。コンテンツファイルのヘッダ情報は、コンテンツファイルについての管理情報を含む。もし、メモリ１２６に複数個のコンテンツファイルが保存されると、コンテンツファイルのヘッダ情報は、複数個のコンテンツファイルについての管理情報を含むことになる。コンテンツファイルについての管理情報は、例えば、メモリ１２６上にコンテンツファイルが記録されている開始地点、コンテンツファイルを認識するために必要なコンテンツファイルのファイル名のような情報を含むことができる。
【００５２】
制御ロジック１２５は、図２に図示されているようにコマンドインタープリタ２０１と、ストリーム制御部２０２と、メモリアクセス部２０３と、メモリ１２６とを備える。
【００５３】
コマンドインタープリタ２０１は、復調器１２３から受信されたデジタル信号を解釈する。デジタル信号は、ＲＦＩＤリーダ１００から受信したＲＦ信号が変換された信号であり、コマンドインタープリタ２０１は、デジタル信号を解釈し、ＲＦＩＤリーダ１００が行おうとする制御コマンドとその他のデータとを分離する。制御コマンドは、例えば読み込み制御コマンド、書き込み制御コマンド、タグ１２０の動作中断制御コマンド、タグ識別情報を要求する制御コマンドなどを含むことができる。
【００５４】
ストリーム制御部２０２は、コマンドインタープリタ２０１から受信される制御コマンドによってメモリアクセスのための制御制御コマンドを生成し、メモリアクセス部２０３に送信する。すなわち、コマンドインタープリタ２０１から受信される制御コマンドがコンテンツファイルについての管理情報要求信号である場合に、ストリーム制御部２０２は、メモリ１２６からコンテンツファイルのヘッダ情報の読み込みを要求する制御命令を生成する。コマンドインタープリタ２０１から受信される命令がコンテンツファイル要求信号である場合に、ストリーム制御部２０２は、メモリ１２６からコンテンツファイルの読み込みを要求する制御命令を生成する。
【００５５】
また、ストリーム制御部２０２は、ＲＦＩＤリーダ１００に送信するコンテンツファイルのデータをパケット化し、ストリーム方式でパケット化されたコンテンツファイルのデータをＲＦＩＤリーダ１００に送信する。すなわち、送信可能なパケット化されたコンテンツファイルのデータは、例えば受信されたＲＦ信号に反応するＲＦ信号、コンテンツファイルについての管理情報およびコンテンツファイルのデータを含むことができる。また、ストリーム制御部２０２は、コマンドインタープリタ２０１から受信された制御コマンドが再送信要求である場合に、最後に送信されたコンテンツファイルについてのデータパケットをストリーム方式で再送信する。このために、ストリーム制御部２０２は、キャッシュメモリのような保存エレメント（図示せず）を備えることができる。
【００５６】
メモリアクセス部２０３は、メモリ１２６の修正、削除、読み込み、書き込み動作を行う。すなわち、メモリアクセス部２０３は、ストリーム制御部２０２から受信されたメモリアクセスのための制御制御コマンドに基づいてメモリ１２６をアクセスし、メモリ１２６から読み込まれたデータをストリーム制御部２０２に送信する。すなわち、ストリーム制御部２０２からコンテンツファイルのヘッダ情報読み込みを要求する制御命令が受信されたときに、メモリアクセス部２０３は、メモリ１２６からコンテンツファイルのヘッダ情報を読み込む。コンテンツファイルのヘッダ情報は、メモリ１２６に保存されているコンテンツファイルのリスト（または目録）およびコンテンツファイルの開始位置を含むことができる。もし、メモリ１２６がマルチプル構造を有していれば、コンテンツファイルのヘッダ情報は、例えば使用中のメモリ１２６と使用していないメモリ１２６の大きさおよび位置についての情報を含むことができる。
【００５７】
また、メモリアクセス部２０３は、ストリーム制御部２０２からコンテンツファイルの読み込みを要求する制御命令が受信されると、コンテンツファイルのヘッダ情報に基づき、読み込みが要求されたコンテンツファイルの開始位置を把握し、メモリ１２６から要求されたコンテンツファイルのデータを読み込み、ストリーム制御部２０２に送信する。このとき、メモリアクセス部２０３は、コンテンツファイルのデータを所定ブロック単位で読み込んでストリーム制御部２０２に送信し、次に、所定ブロック単位で読み込むコンテンツファイルのデータの位置情報をレジスタ（図示せず）に保存する。レジスタ（図示せず）は、メモリアクセス部２０３に備えられている。所定ブロック単位は、前述のようにタグ１２０とＲＦＩＤリーダ１００との間で一回に送信可能なデータ量によって決定することができる。
【００５８】
メモリ１２６は、少なくとも１つのコンテンツファイルと、保存されているコンテンツファイルについての管理情報とを保存する。コンテンツファイルについての管理情報は、コンテンツファイルのヘッダ領域に保存される。従って、コンテンツファイルについての管理情報は、コンテンツファイルのヘッダ情報を含んで構成される。コンテンツファイルは、例えば、前述のようにメディアファイルおよびデータファイルのうち少なくとも一つを含むことができる。すなわち、コンテンツファイルは、コンピュータシステムに保存可能なファイルを含むことができる。
【００５９】
図１で、タグ１２０は、制御ロジック１２５内にメモリ１２６を備える例である。しかし、制御ロジック１２５とメモリ１２６とを分離する構造でタグ１２０を構成することができる。また、図１で、ＲＦＩＤリーダ１００と再生器１１０は分離されており、１つのタグ１２０とＲＦＩＤリーダ１００とが非接触方式で互いに通信する。しかし、ＲＦＩＤリーダ１００は、再生器１１０内に備えられ、ＲＦＩＤリーダ１００は、複数個のタグ１２０と非接触方式で通信し、複数個のタグ１２０に保存されている少なくとも１つのコンテンツファイルを読み込み、再生器１１０を介してコンテンツファイルを再生することが可能である。
【００６０】
図３は、ＲＦＩＤリーダ３１０が再生器３００内に備わり、複数個のタグ３２０−１〜３２０−ｎとＲＦＩＤリーダ３１０とが非接触方式で通信する場合を示す図面である。ＲＦＩＤリーダ３１０、複数個のタグ３２０−１〜３２０−ｎおよび再生器３００は、図１および図２と同一に構成される。複数個のタグ３２０−１〜３２０−ｎは、１つのタグ群と定義することが可能である。
【００６１】
しかし、図３のＲＦＩＤリーダ３１０は、事前に設定された優先順位により、複数個のタグ３２０−１〜３２０−ｎから読み込んだコンテンツファイルについてのリストを生成することができる。例えば、事前に設定された優先順位が接続逆順である場合に、最後に接触されたタグ３２０−１〜３２０−ｎに保存されているコンテンツファイルについての管理情報をまず生成するように、コンテンツファイルのリスト情報を生成する。また、事前に設定された優先順位が接続正順である場合に、最初に接触されたタグに保存されているコンテンツファイルについての管理情報がまず生成されるように、コンテンツファイルについてのリストを生成する。優先順位は、前記に示した以外の多様な基準によって決定可能である。
【００６２】
前述のタグ１２０，３２０−１〜３２０−ｎは、コンテンツファイルを保存するので、メディアタグと定義することが可能である。
図４Ａは、ＲＦＩＤリーダ１００を内蔵したオーディオ機器と、複数のタグ１２０とに関わる応用例を示す図面であり、図４Ｂは、動映像ファイルを保存するタグ１２０と、ＲＦＩＤリーダ１００を内蔵した携帯電話とに関わる応用例を示す図面であり、図４Ｃは、個人作業ファイルの入ったタグ１２０と、ＲＦＩＤリーダ１００を内蔵したノート型パソコンの応用例を示す図面である。また、映画ポスターに本発明の望ましい実施形態によるタグ１２０を装着し、タグ１２０に映画予告編を保存させ、本発明の望ましい実施形態によるＲＦＩＤリーダ１００を内蔵した携帯電話を利用し、タグ１２０に保存されている映画予告編を再生させる応用例を具現することができる。
【００６３】
また、タグ１２０は、ポスター、チケット、カードのうち、いずれか一つに設けることができる。
【００６４】
図５は、本発明の望ましい実施形態によるコンテンツ再生方法の動作フローチャートであり、図５および図１に示すように次の通りである。
【００６５】
ユーザにより再生器１１０の電源がオンになると、再生器１１０は、ＲＦＩＤリーダ１００の電源をオンにする（５０２）。ＲＦＩＤリーダ１００（５０１）の、電源がオンになると、ＲＦ信号をブロードキャストする（５０３）。これにより、ＲＦＩＤリーダ１００と隣接したところに存在するタグ１２０は、受信されたＲＦ信号をＤＣに整流する（５０４）。ＲＦ信号をＤＣに整流するということは、タグ１２０の電源がオンになることを意味する。従って、図１の電源供給部１２２で説明したように、タグ１２０の動作方式がパッシブ方式であるか、セミアクティブ方式であるか、アクティブ方式であるかにより、第５０４ステップは定められる。
【００６６】
タグ１２０は、受信されたＲＦ信号に対して反応するＲＦ信号をＲＦＩＤリーダ１００に送信する（５０５）。このとき、反応するＲＦ信号は、例えばタグ１２０についての識別情報を含むことができる。
【００６７】
ＲＦＩＤリーダ１００は、ＲＦ信号をブロードキャストした後、ブロードキャストしたＲＦ信号に反応するＲＦ信号の受信いかんに基づいて反応するタグ１２０が存在しているか否かを判断する（５０６）。ブロードキャストしたＲＦ信号に反応するＲＦ信号が受信されなければ、ステップ５０３に戻り、ＲＦ信号を再びブロードキャストする。しかし、ブロードキャストしたＲＦ信号に反応するＲＦ信号が少なくとも一つ受信されたときには、ＲＦＩＤリーダ１００は、反応するタグ１２０が存在すると認識する。
【００６８】
ＲＦＩＤリーダ１００が反応するタグ１２０が存在すると認識すると、ＲＦＩＤリーダ１００は、反応するタグ１２０にコンテンツファイルについての管理情報を要求するＲＦ信号を送信する（５０７）。これにより、タグ１２０は、メモリ１２６からコンテンツファイルのヘッダ情報をサーチし（５０８）、サーチされたヘッダ情報をＲＦＩＤリーダ１００に送信する（５０９）。このとき、受信されるＲＦ信号により自らターンオンした後、タグ１２０は、コンテンツファイルのヘッダ情報をサーチする。タグ１２０は、ＲＦＩＤリーダ１００からＲＦ信号が受信されるたびに電源をオンにすることができる。
【００６９】
ＲＦＩＤリーダ１００は、受信されたコンテンツファイルのヘッダ情報に基づき、少なくとも１つの再生可能なコンテンツファイルについてのリスト情報を生成し、生成されたコンテンツファイルのリスト情報を再生器１１０に送信する（５１０）。
【００７０】
再生器１１０は、受信された再生可能なコンテンツファイルのリスト情報をユーザが認識できるように送信する（５１１）。コンテンツファイルのリスト情報は、例えばディスプレイスクリーン上にまたはオーディオ形態で送信可能である。コンテンツファイルのリスト情報に基づき、ユーザが１つのコンテンツファイルを選択したとき、再生器１１０は、選択されたコンテンツファイルの情報をＲＦＩＤリーダ１００に送信する（５１２）。
【００７１】
ＲＦＩＤリーダ１００は、選択されたコンテンツファイルを要求する要求信号をタグ１２０に送信する（５１３）。タグ１２０は、コンテンツファイルのヘッダ情報に基づいてＲＦＩＤリーダ１００が要求したコンテンツファイルをメモリ１２６からサーチし、かつ読み込む（５１４）。タグ１２０は、読み込まれたコンテンツファイルのデータに終了情報が含まれているか否かをチェックする（５１５）。これは、コンテンツファイルのデータが所定ブロック単位で読み込むためである。
【００７２】
もし、読み込まれたコンテンツファイルのデータに終了情報が含まれていなければ、タグ１２０は、次に読み込むデータブロックについての位置情報をメモリアクセス部２０３に備わっているレジスタに保存する（５１６）。
【００７３】
タグ１２０は、読み込まれたコンテンツファイルのデータをＲＦＩＤリーダ１００に送信する（５１７）。コンテンツファイルの終了を表す情報が読み込まれたコンテンツファイルのデータに含まれていても、読み込まれたコンテンツファイルのデータは、ＲＦＩＤリーダ１００に送信される。読み込まれたコンテンツファイルのデータを送信した後、タグ１２０は、ステップ５１４に戻り、コンテンツファイルの次のデータブロックを送信するための待機状態を保持できる。
【００７４】
所定ブロック単位のコンテンツファイルのデータが受信されたときに（５１８）、ＲＦＩＤリーダ１００は、受信されたコンテンツファイルのデータに送信エラーが発生しているか否かを判断する（５１９）。
【００７５】
もし、送信エラーが発生していなければ、ＲＦＩＤリーダ１００は、バッファ１０５に、受信されたコンテンツファイルのデータを保存し、保存されているコンテンツファイルデータにコンテンツファイルの終了を表す情報が含まれているか否かをチェックする（５２０）。もし、送信エラーが発生していると判断されたときには、ＲＦＩＤリーダ１００は、ステップ５１３に戻り、コンテンツファイルに対する再送信要求信号をタグ１２０に送信することができる。また、バッファ１０５に保存されているコンテンツファイルのデータに終了情報が存在していなければ、ＲＦＩＤリーダ１００は、ステップ５１３に進み、該当するコンテンツファイルの次のブロックのデータの読み込みを要求する。
【００７６】
バッファ１０５に所定量のデータが保存されたときに、ＲＦＩＤリーダ１００は、バッファ１０５に保存されているコンテンツファイルのデータを再生器１１０に送信する（５２１）。再生器１１０は、受信されたコンテンツファイルのデータに基づいてコンテンツファイルをリアルタイムで再生する（５２２）。
【００７７】
図５は、１つのタグ１２０に保存されているコンテンツファイルを再生する場合を示している。しかし、複数個のタグ１２０に保存されているコンテンツファイルのうち選択されたコンテンツファイルを再生する方法を、図５に開示されているフローチャートに基づいて容易に具現することができる。また、１つのタグ１２０に保存されている複数個のコンテンツファイルのうち選択されたコンテンツファイルを再生する方法を、図５に開示されている方法に基づいて容易に具現することがきる。再生可能なコンテンツファイルが複数個である場合に、事前に設定された基準により、コンテンツファイルについてのリストを生成することが可能である。
【００７８】
本発明は、前記の実施形態に限定されず、本発明の思想内で当業者による変形が可能であることはいうまでもない。従って、本発明で権利を請求する範囲は、詳細な説明の範囲内で決まるものではなく、特許請求の範囲に記載された技術的思想により定められなければならない。
【産業上の利用可能性】
【００７９】
本発明は、ＲＦＩＤ技術を利用してコンテンツを再生する技術分野に適用可能である。
【図面の簡単な説明】
【００８０】
【図１】本発明の望ましい一実施形態によるコンテンツ再生システムのブロック図である。
【図２】図１に図示された制御ロジックの機能ブロック図である。
【図３】本発明の望ましい他の実施形態によるコンテンツ再生システムのブロック図である。
【図４Ａ】本発明の望ましい実施形態によるコンテンツ再生システムの応用例である。
【図４Ｂ】本発明の望ましい実施形態によるコンテンツ再生システムの応用例である。
【図４Ｃ】本発明の望ましい実施形態によるコンテンツ再生システムの応用例である。
【図５】本発明の望ましい実施形態によるコンテンツ再生方法の動作フローチャートである。
【符号の説明】
【００８１】
１００，３１０  ＲＦＩＤリーダ
１０１  再生器インターフェース
１０２  制御部
１０３  ＲＦインターフェース
１０４，１２１  アンテナ
１０５  バッファ
１１０，３００  再生器
１２０  タグ
１２２  供給部
１２３  復調器
１２４  変調器
１２５  制御ロジック
１２６  メモリ
【図１】
2006127528.tif 000003
【図２】
2006127528.tif 000004
【図３】
2006127528.tif 000005
【図５】
2006127528.tif 000006
【図４Ａ】
2006127528.tif 000007
【図４Ｂ】
2006127528.tif 000008
【図４Ｃ】
2006127528.tif 000009